(57)【要約】【課題】画像ファイルのファイルリストを表示するまでの時間を短縮。【解決手段】複数の画像ファイルを記憶した着脱可能な外部記憶媒体と接続しデータの送受信を行うためのインターフェース部を介し外部記憶媒体から所定の条件を満たす画像ファイルを読み込み、第１ファイルリストを作成する第１ファイルリスト作成部と、第１ファイルリストを表示する表示部と、表示部に表示された第１ファイルリストから任意の画像ファイルを選択する操作部と、第１ファイルリストを表示部に表示中にインターフェース部を介し外部記憶媒体からすべての画像ファイルを読み込み、第２ファイルリストを作成する第２ファイルリスト作成部と、第１ファイルリストに含まれない画像ファイルを閲覧する操作が操作部により行われた時点で表示部に表示していた第１ファイルリストを第２ファイルリストに切り替えるファイルリスト切り替え部と、を含む画像表示装置。【選択図】図１
2009166347.tif 000002
【特許請求の範囲】
【請求項１】
複数の画像ファイルを記憶した着脱可能な外部記憶媒体と接続しデータの送受信を行うためのインターフェース部と、
前記インターフェース部を介し前記外部記憶媒体から所定の条件を満たす前記画像ファイルを読み込み、第１ファイルリストを作成する第１ファイルリスト作成部と、
前記第１ファイルリストを表示する表示部と、
前記表示部に表示された前記第１ファイルリストから任意の画像ファイルを選択する操作部と、
前記第１ファイルリストを前記表示部に表示中に前記インターフェース部を介し前記外部記憶媒体からすべての画像ファイルを読み込み、第２ファイルリストを作成する第２ファイルリスト作成部と、
前記第１ファイルリストに含まれない前記画像ファイルを閲覧する操作が前記操作部により行われた時点で前記表示部に表示していた前記第１ファイルリストを前記第２ファイルリストに切り替えるファイルリスト切り替え部と、
を含む、
ことを特徴とする画像表示装置。
【請求項２】
請求項１に記載の画像表示装置において、前記所定の条件は、前記画像ファイルの日付属性が最新の日付であることを特徴とする画像表示装置。
【請求項３】
請求項１または２に記載の画像表示装置を備えたことを特徴とする印刷装置。
【請求項４】
複数の画像ファイルを記憶した着脱可能な外部記憶媒体と接続しデータの送受信を行うためのインターフェース部と、
表示部と、
操作部と、
を含む画像表示装置の制御方法であって、
前記インターフェース部を介し前記外部記憶媒体から所定の条件を満たす前記画像ファイルを読み込み、第１ファイルリストを作成する第１ファイルリスト作成工程と、
前記第１ファイルリストを表示部に表示する表示工程と、
前記表示部に表示された前記第１ファイルリストから任意の画像ファイルを操作部により選択する操作工程と、
前記第１ファイルリストを前記表示部に表示中に前記インターフェース部を介し前記外部記憶媒体からすべての画像ファイルを読み込み、第２ファイルリストを作成する第２ファイルリスト作成工程と、
前記第１ファイルリストに含まれない前記画像ファイルを閲覧する操作が前記操作部により行われた時点で前記表示部に表示していた前記第１ファイルリストを前記第２ファイルリストに切り替えるファイルリスト切り替え工程と、
を含む、
ことを特徴とする画像表示装置の制御方法。
【請求項５】
複数の画像ファイルを記憶した着脱可能な外部記憶媒体と接続しデータの送受信を行うためのインターフェース部と、
表示部と、
操作部と、
を含む画像表示装置の制御プログラムであって、
前記インターフェース部を介し前記外部記憶媒体から所定の条件を満たす前記画像ファイルを読み込み、第１ファイルリストを作成する第１ファイルリスト作成ステップと、
前記第１ファイルリストを表示部に表示する表示ステップと、
前記表示部に表示された前記第１ファイルリストから任意の画像ファイルを操作部により選択する操作ステップと、
前記第１ファイルリストを前記表示部に表示中に前記インターフェース部を介し前記外部記憶媒体からすべての画像ファイルを読み込み、第２ファイルリストを作成する第２ファイルリスト作成ステップと、
前記第１ファイルリストに含まれない前記画像ファイルを閲覧する操作が前記操作部により行われた時点で前記表示部に表示していた前記第１ファイルリストを前記第２ファイルリストに切り替えるファイルリスト切り替えステップと、
を含む、
ことを特徴とする画像表示装置の制御プログラム。
【発明の詳細な説明】
【技術分野】
【０００１】
本発明は、外部記憶媒体に記憶された画像ファイルのリストを表示する画像表示装置、画像表示装置の制御方法及び制御プログラム、画像表示装置を備えた印刷装置に関する。
【背景技術】
【０００２】
近年、メモリカードやＣＤなどの外部記憶媒体に記憶された画像ファイルを読み込むためのインターフェースを備え、ＰＣを介さなくても選択した画像ファイルを直接印刷ができるダイレクトプリンタが普及している。このようなダイレクトプリンタでは、ファイルの一覧を表示して所望の画像ファイルを見つけ出し選択するための画像ビューアを搭載する機種が増えてきた。画像ビューアは、ユーザインターフェースなどにも使用されるが、ダイレクトプリンタに装備されているという性質上、その主な使い道の１つとして、印刷する画像のプレビュー表示が挙げられる。画像ビューアに表示されるプレビュー画面を見ながら、ユーザが印刷したい印刷候補画像ファイルを探すというのが一般的な使われ方である。しかし、ダイレクトプリンタには比較的貧弱なＣＰＵが採用されていることが多いため、すべての印刷候補画像ファイルから印刷したい印刷候補画像ファイルにたどり着くまで、選択されたすべての印刷候補画像ファイルをプレビュー表示するには時間がかかってしまう。
【０００３】
この問題を解決するために、例えば特許文献１には、外部記憶媒体を読み込み、目的の画像を画像ビューアにプレビュー表示するための付加情報を持ったブックマークを設定することにより、目的とする画像に到達するまでの時間を短縮する方法が記載されている。
【０００４】
【特許文献１】特開２００４−１２８０号公報
【発明の開示】
【発明が解決しようとする課題】
【０００５】
しかしながら、従来の方法では、付加情報をもったブックマークを設定することにより、目的とする画像に到達するまでの時間を短縮するもので、新規のデータについては時間の短縮が行えない。そのため、記録メディア内の新規データに目的とする画像があった場合には、やはり記録メディア内をすべて読み込み、目的の画像に到達するまでに、時間を要するという課題がある。
【課題を解決するための手段】
【０００６】
本発明は、上述の課題の少なくとも一部を解決するためになされたものであり、以下の形態または適用例として実現することが可能である。
【０００７】
［適用例１］
複数の画像ファイルを記憶した着脱可能な外部記憶媒体と接続しデータの送受信を行うためのインターフェース部と、前記インターフェース部を介し前記外部記憶媒体から所定の条件を満たす前記画像ファイルを読み込み、第１ファイルリストを作成する第１ファイルリスト作成部と、前記第１ファイルリストを表示する表示部と、前記表示部に表示された前記第１ファイルリストから任意の画像ファイルを選択する操作部と、前記第１ファイルリストを前記表示部に表示中に前記インターフェース部を介し前記外部記憶媒体からすべての画像ファイルを読み込み、第２ファイルリストを作成する第２ファイルリスト作成部と、前記第１ファイルリストに含まれない前記画像ファイルを閲覧する操作が前記操作部により行われた時点で前記表示部に表示していた前記第１ファイルリストを前記第２ファイルリストに切り替えるファイルリスト切り替え部と、を含む、ことを特徴とする画像表示装置。
【０００８】
この構成によれば、外部記憶媒体に多量の画像ファイルが記憶されていても外部記憶媒体をインターフェース部に装着した直後は、所定の条件を満たす画像ファイルのファイルリストを作成し表示するので、全画像ファイルのファイルリストを作成してから表示した場合に比べファイルリストを表示するまでの時間を短くすることができる。
【０００９】
［適用例２］
上記に記載の画像表示装置において、前記所定の条件は、前記画像ファイルの日付属性が最新の日付であることを特徴とする画像表示装置。
【００１０】
この構成によれば、外部記憶媒体に多量の画像ファイルが記憶されていても外部記憶媒体をインターフェース部に装着した直後は、日付属性が最新の日付の画像ファイルのファイルリストを作成し表示するので、全画像ファイルのファイルリストを作成してから表示した場合に比べファイルリストを表示するまでの時間を短くすることができる。
【００１１】
［適用例３］
上記に記載の画像表示装置を備えたことを特徴とする印刷装置。
【００１２】
この構成によれば、外部記憶媒体に多量の画像ファイルが記憶されていても外部記憶媒体をインターフェース部に装着した直後は、所定の条件を満たす画像ファイルのファイルリストを作成し表示するので、全画像ファイルのファイルリストを作成してから表示した場合に比べファイルリストを表示するまでの時間を短くすることができる印刷装置を提供できる。
【００１３】
［適用例４］
複数の画像ファイルを記憶した着脱可能な外部記憶媒体と接続しデータの送受信を行うためのインターフェース部と、表示部と、操作部と、を含む画像表示装置の制御方法であって、前記インターフェース部を介し前記外部記憶媒体から所定の条件を満たす前記画像ファイルを読み込み、第１ファイルリストを作成する第１ファイルリスト作成工程と、前記第１ファイルリストを表示部に表示する表示工程と、前記表示部に表示された前記第１ファイルリストから任意の画像ファイルを操作部により選択する操作工程と、前記第１ファイルリストを前記表示部に表示中に前記インターフェース部を介し前記外部記憶媒体からすべての画像ファイルを読み込み、第２ファイルリストを作成する第２ファイルリスト作成工程と、前記第１ファイルリストに含まれない前記画像ファイルを閲覧する操作が前記操作部により行われた時点で前記表示部に表示していた前記第１ファイルリストを前記第２ファイルリストに切り替えるファイルリスト切り替え工程と、を含む、ことを特徴とする画像表示装置の制御方法。
【００１４】
この構成によれば、外部記憶媒体に多量の画像ファイルが記憶されていても外部記憶媒体をインターフェース部に装着した直後は、所定の条件を満たす画像ファイルのファイルリストを作成し表示するので、全画像ファイルのファイルリストを作成してから表示した場合に比べファイルリストを表示するまでの時間を短くすることができる。
【００１５】
［適用例５］
複数の画像ファイルを記憶した着脱可能な外部記憶媒体と接続しデータの送受信を行うためのインターフェース部と、表示部と、操作部と、を含む画像表示装置の制御プログラムであって、前記インターフェース部を介し前記外部記憶媒体から所定の条件を満たす前記画像ファイルを読み込み、第１ファイルリストを作成する第１ファイルリスト作成ステップと、前記第１ファイルリストを表示部に表示する表示ステップと、前記表示部に表示された前記第１ファイルリストから任意の画像ファイルを操作部により選択する操作ステップと、前記第１ファイルリストを前記表示部に表示中に前記インターフェース部を介し前記外部記憶媒体からすべての画像ファイルを読み込み、第２ファイルリストを作成する第２ファイルリスト作成ステップと、前記第１ファイルリストに含まれない前記画像ファイルを閲覧する操作が前記操作部により行われた時点で前記表示部に表示していた前記第１ファイルリストを前記第２ファイルリストに切り替えるファイルリスト切り替えステップと、を含む、ことを特徴とする画像表示装置の制御プログラム。
【００１６】
この構成によれば、外部記憶媒体に多量の画像ファイルが記憶されていても外部記憶媒体をインターフェース部に装着した直後は、所定の条件を満たす画像ファイルのファイルリストを作成し表示するので、全画像ファイルのファイルリストを作成してから表示した場合に比べファイルリストを表示するまでの時間を短くすることができる。
【発明を実施するための最良の形態】
【００１７】
以下、画像表示装置を備えた印刷装置の実施形態について図面に従って説明する。
【００１８】
（第１実施形態）
＜印刷装置の構成＞
先ず、第１実施形態に係る画像表示装置を備えた印刷装置の構成について、図１を参照して説明する。図１は、第１実施形態に係る画像表示装置を備えた印刷装置の構成を示すブロック図である。
【００１９】
図１に示すように、印刷装置１０００は、画像表示装置１００と、プリンタコントローラ１７０と、を含んで構成されている。なお、図１では説明の簡略化のためプリンタコントローラ１７０以降の処理部や印刷機構は省略する。
【００２０】
画像表示装置１００は、ＣＰＵ１１０と、ＲＯＭ１２０と、ＲＡＭ１３０と、表示部であるＬＣＤ（Liquid Crystal Display）１５０を制御するＬＣＤコントローラ１４０と、操作部１６０と、外部記憶媒体１９０とのデータの送受信を行うためのインターフェース（Ｉ／Ｆ：interface）部１８０と、が内部バス１０１を介して相互に接続されている。
【００２１】
ＲＯＭ１２０には、第１ファイルリスト作成部１１２と、第２ファイルリスト作成部１１４と、ファイルリスト切り替え部１１６と、を含む制御プログラム１１１が記憶され、ＣＰＵ１１０により実行される。ＲＡＭ１３０は、第１ファイルリスト作成部１１２が作成する第１ファイルリスト１３１と、第２ファイルリスト作成部１１４が作成する第２ファイルリスト１３２と、を記憶する。
【００２２】
ここで、画像ファイルのファイルリストの構成について図２を参照して説明する。図２は、画像ファイルのファイルリストの構成を示す図である。
【００２３】
外部記憶媒体１９０には、Ｐ１〜Ｐ２００の２００枚の画像ファイルが記憶されているものとし、画像ファイルＰ１〜Ｐ２００のファイルリスト１９１には個々の画像ファイルが撮影された日付属性が記憶されているものとする。例えば、画像ファイルＰ１〜Ｐ９は、２００７年１２月２５日に撮影されたことを示す日付属性が記憶され、画像ファイルＰ１０〜Ｐ２００は、画像ファイルＰ１〜Ｐ９より以前に撮影された日付属性が記憶されている。
【００２４】
第１ファイルリスト作成部１１２は、所定の条件として日付属性が最新の日付の画像ファイルを外部記憶媒体１９０から読み込み、第１ファイルリスト１３１を作成する。図２に示すファイルリスト１９１の画像ファイルが外部記憶媒体１９０に記憶されている場合、最新の日付は２００７年１２月２５日なので、画像ファイルＰ１〜Ｐ９が条件を満たし、図２に示す第１ファイルリスト１３１が作成される。
【００２５】
一方、第２ファイルリスト作成部１１４は、外部記憶媒体１９０に記憶されたすべての画像ファイルＰ１〜Ｐ２００のファイルリストである第２ファイルリスト１３２を作成する。
【００２６】
次に、印刷装置の表示部と操作部の構成について図３を参照して説明する。図３は、印刷装置の表示部と操作部の構成を示す構成図である。
【００２７】
印刷装置１０００は、ＬＣＤ１５０と、操作部１６０と、を備えている。ＬＣＤ１５０には、現在の選択候補の画像ファイルの画像や日付属性などを表示するプレビュー領域１５１と、画像ファイルのサムネール画像１５３を表示するサムネール領域１５２と、から構成されている。図３のサムネール領域１５２には、画像ファイルＰ５〜Ｐ９までの５つの画像ファイルのサムネール画像１５３が表示され、画像ファイルＰ７が現在の選択候補を示すハイライト表示になっている。
【００２８】
操作部１６０は、複数の操作ボタン１６１〜１６４が配置され、操作ボタン１６３を押すとサムネール領域１５２の選択候補を向かって左手方向に移動し、操作ボタン１６４を押すとサムネール領域１５２の選択候補を向かって右手方向に移動し、操作ボタン１６１を押すことにより現在の選択候補が確定される。
【００２９】
＜画像表示装置の動作＞
次に、画像表示装置の動作について図４を参照して説明する。図４は、画像表示装置の動作を示すフローチャートである。
【００３０】
先ず、ステップＳ１００では、インターフェース部１８０に外部記憶媒体１９０が装着されることにより、データの送受信が行われる。
【００３１】
次に、ステップＳ１０２では、第１ファイルリスト作成部１１２が外部記憶媒体１９０に記憶されたすべての画像ファイルの日付属性をチェックし、最新の日付の画像ファイルのみを読み込み、第１ファイルリスト１３１を作成し、ＲＡＭ１３０に書き込む。
【００３２】
次に、ステップＳ１０４では、ＲＡＭ１３０に書き込まれた第１ファイルリスト１３１に基づきＬＣＤ１５０のサムネール領域１５２にサムネール画像１５３を順次表示する。
【００３３】
次に、ステップＳ１０６では、第２ファイルリスト作成部１１４が外部記憶媒体１９０に記憶されたすべての画像ファイルを読み込み、第２ファイルリスト１３２を作成し、ＲＡＭ１３０に書き込む。
【００３４】
次に、ステップＳ１０８では、ファイルリスト切り替え部１１６が操作部１６０の画像ファイルの選択候補を移動する操作ボタン１６３，１６４を監視し、第１ファイルリスト１３１に含まれない画像ファイルを選択したか否かを判定し、選択した場合はステップＳ１１０に移行し、選択されない場合はステップＳ１０８を繰り返す。
【００３５】
次に、ステップＳ１１０では、ファイルリスト切り替え部１１６が第１ファイルリスト１３１から第２ファイルリスト１３２に切り替え、第２ファイルリスト１３２に基づきＬＣＤ１５０のサムネール領域１５２にサムネール画像１５３を順次表示する。
【００３６】
図２に示す画像ファイルのファイルリスト１９１の場合について動作を説明する。外部記憶媒体１９０がインターフェース部１８０に装着されると（ステップＳ１００）、外部記憶媒体１９０に記憶された画像ファイルのファイルリスト１９１から最新の日付である２００７年１２月２５日の日付属性の画像ファイルのみが読み込まれ、第１ファイルリスト１３１が作成される（ステップＳ１０２）。図２に示すように、第１ファイルリスト１３１には２００７年１２月２５日の日付属性の９枚の画像ファイルＰ１〜Ｐ９が書き込まれている。
【００３７】
図３に示すＬＣＤ１５０のサムネール領域１５２には、第１ファイルリスト１３１の画像ファイルＰ５〜Ｐ９のサムネール画像１５３が表示されている（ステップＳ１０４）。この間に、第２ファイルリスト作成部１１４が外部記憶媒体１９０に記憶されたすべての画像ファイルＰ１〜Ｐ２００を読み込み、第２ファイルリスト１３２を作成する（ステップＳ１０６）。
【００３８】
図３に示すように画像ファイルＰ７が現在選択候補の状態で操作ボタン１６４を３回押すと、画像ファイルＰ１０が選択候補となるが、画像ファイルＰ１０は第１ファイルリスト１３１には含まれていないので、ファイルリスト切り替え部１１６が第１ファイルリスト１３１から第２ファイルリスト１３２に切り替え、第２ファイルリスト１３２の画像ファイルＰ１０に移動しＬＣＤ１５０のサムネール領域１５２にサムネール画像１５３を順次表示する。
【００３９】
図２に示すように、２００枚の画像ファイルＰ１〜Ｐ２００が記憶された外部記憶媒体１９０から最新の画像ファイルをＬＣＤ１５０で表示したい場合には、９枚の画像ファイルＰ１〜Ｐ９の第１ファイルリスト１３１を作成後すぐに表示することができ、９枚の画像ファイルＰ１〜Ｐ９のサムネール画像１５３を見ている間にすべての画像ファイルＰ１〜Ｐ２００の第２ファイルリスト１３２が作成されるので、最初からすべての画像ファイルＰ１〜Ｐ２００の第２ファイルリスト１３２を作る場合に比べてもストレスを感じさせない。
【００４０】
以上に述べた本実施形態によれば、以下の効果が得られる。
【００４１】
本実施形態では、外部記憶媒体１９０に多量の画像ファイルが記憶されていても外部記憶媒体１９０をインターフェース部１８０に装着した直後は、日付属性が最新の日付の画像ファイルだけを抽出し第１ファイルリスト１３１を作成しＬＣＤ１５０に表示するので、全画像ファイルのファイルリストを作成してから表示した場合に比べファイルリストを表示するまでの時間を短くすることができる。
【００４２】
以上、画像表示装置の実施形態を説明したが、こうした実施の形態に何ら限定されるものではなく、趣旨を逸脱しない範囲内において様々な形態で実施し得ることができる。以下、変形例を挙げて説明する。
【００４３】
（変形例１）画像表示装置の変形例１について説明する。前記第１実施形態では、第１ファイルリスト作成部１１２の所定の条件として日付属性が最新の日付である場合について説明したが、例えば、画像ファイル毎にユーザにより選択されたアクセス回数を記憶し、アクセス回数の多い順から２０番目までを所定の条件とするようにしてもよい。また、画像ファイル毎にユーザが選択したアクセス日を記憶し、アクセス日の新しいものから２０番目までを所定の条件とするようにしてもよい。
【図面の簡単な説明】
【００４４】
【図１】第１実施形態に係る画像表示装置を備えた印刷装置の構成を示すブロック図。
【図２】画像ファイルのファイルリストの構成。
【図３】印刷装置の表示部と操作部の構成を示す構成図。
【図４】画像表示装置の動作を示すフローチャート。
【符号の説明】
【００４５】
１００…画像表示装置、１０１…内部バス、１１０…ＣＰＵ、１１１…制御プログラム、１１２…第１ファイルリスト作成部、１１４…第２ファイルリスト作成部、１１６…ファイルリスト切り替え部、１２０…ＲＯＭ、１３０…ＲＡＭ、１３１…第１ファイルリスト、１３２…第２ファイルリスト、１４０…ＬＣＤコントローラ、１５０…ＬＣＤ、１５１…プレビュー領域、１５２…サムネール領域、１５３…サムネール画像、１６０…操作部、１６１〜１６４…操作ボタン、１７０…プリンタコントローラ、１８０…インターフェース部、１９０…外部記憶媒体、１９１…ファイルリスト、１０００…印刷装置。
【図１】
2009166347.tif 000003
【図２】
2009166347.tif 000004
【図３】
2009166347.tif 000005
【図４】
2009166347.tif 000006